(57)【要約】【課題】複数の電気機器の使用条件を一括記憶する情報記憶装置に使用条件を送信、記憶し、一時的な滞在場所における同電気機器を自宅内における機器設定の早期再現を行なうと同時に、使用者の設定する手間を省くことができる電気機器を提供することを目的としている。【解決手段】電気機器１Ａの内部に送信手段３Ａを備え、使用条件を記憶する情報記憶装置２に使用条件を送信し、電気機器１Ａの使用条件を機器記憶装置２に保存することができ、使用者の好みに合った設定情報を取り出し、また、電気機器１Ａあるいは同種の電気機器１Ｂは、情報記憶装置２に記憶した使用条件を受信する受信手段４Ａにより使用者の設定する手間を省くと同時に、機器設定の早期再現を行なう。【選択図】図１
2007214630.tif 000002
【特許請求の範囲】
【請求項１】
複数の電気機器の使用条件を記憶する情報記憶装置に使用条件を送信する送信手段を備えたことを特徴とする電気機器。
【請求項２】
情報記憶装置を着脱可能とした請求項１記載の電気機器。
【請求項３】
電気機器を使用する時に、情報記憶装置から使用条件を受信する受信手段を備えたことを特徴とする請求項１記載の電気機器。
【請求項４】
他の電気機器に取り付けられた情報記憶装置との使用条件の送受信は情報を電源に重畳させて行なうことを特徴とする請求項１〜３何れかに記載の電気機器。
【請求項５】
使用条件の受信は、運転状態を切り換えて規定時間経過後に行なうことを特徴とする請求項３あるいは４に記載の電気機器。
【請求項６】
使用条件の受信は、情報記憶装置を電気機器に取り付けた時に行なうことを特徴とする請求項３〜５何れかに記載の電気機器。
【請求項７】
送信手段による使用条件の送信は、使用者が運転操作を行なってから電気機器が運転を開始する迄の間に行なうことを特徴とする請求項１〜６何れかに記載の電気機器。
【請求項８】
送信手段による使用条件の送信は、電気機器の運転開始後に行なうことを特徴とする請求項１〜６何れかに記載の電気機器。
【請求項９】
情報記憶装置の使用条件の送受信状態を検知する状態検知手段と、前記状態検知手段により検知した状態に応じて送信手段の使用条件の送信に遅延時間を持たせる遅延手段を備えたことを特徴とする請求項１記載の電気機器。
【請求項１０】
使用条件の送信時に、情報記憶装置のアクセス状態に応じて、送信要求信号を出力する送信要求手段を備えたことを特徴とする請求項１記載の電気機器。
【請求項１１】
送信手段は、電気機器の識別信号を送信情報に付加することを特徴とする請求項１記載の電気機器。
【請求項１２】
情報記憶装置に記憶した使用条件を削除する削除手段を備えたことを特徴とする請求項１〜１１いずれかに記載の電気機器。
【発明の詳細な説明】
【技術分野】
【０００１】
本発明は、使用者の使用条件を一括記憶する情報記憶装置を利用可能とした電気機器に関する。
【背景技術】
【０００２】
従来、この種の情報の記憶方法は、宅内情報端末システムによるものが知られている（例えば特許文献１参照）。
【０００３】
以下、宅内情報端末システムについて図２１を参照しながら説明する。
【０００４】
図に示すように、各種情報が入力される入力手段９を有する宅内情報端末装置１０とこの宅内情報端末装置１０に入力された情報を基に機器１１に送信する情報を生成する設定情報生成手段１２を有する管理センタ１３と、機器１１から構成されており、機器１１は設定情報を設定情報蓄積手段１４に蓄積保存していた。
【特許文献１】特開平１０−１１７３８８号公報
【発明の開示】
【発明が解決しようとする課題】
【０００５】
このような宅内情報端末システムでは、機器を動作させるための設定情報を宅内情報端末装置により記憶しなければならず、また、宅内情報端末装置を別体で設置する必要があり小型化、設置コストに課題があった。
【０００６】
さらに、使用者は宅内の機器設定は集中制御が可能であるが、ホテルなどの一時的に滞在する場所における同種の電気機器の設定は手動にて行なう必要があり、不慣れで使い勝手が悪く、使用者の最適な環境創造ができない、あるいは環境創造のための手間がかかるという課題があった。
【０００７】
本発明は、上記課題を解決するもので、携帯可能な小型の情報記憶装置を接続あるいは装着可能な電気機器を提供することを目的としている。
【課題を解決するための手段】
【０００８】
本発明の電気機器は、複数の電気機器の使用条件を記憶する情報記憶装置に使用条件を送信する送信手段を備える構成としたものである。
【０００９】
この手段により、電気機器の使用条件を機器記憶装置に保存することができ、使用者の好みに合った設定情報を取り出すことができる電気機器が得られる。
【００１０】
また、情報記憶装置を着脱可能とする構成としたものである。
【００１１】
この手段により、情報記憶装置に別途電源を準備することなく、使用条件を取り出すことができる電気機器が得られる。
【００１２】
さらに、電気機器を使用する時に、情報記憶装置から使用条件を受信する受信手段を備える構成としたものである。
【００１３】
この手段により、使用場所を選ばず、別体の電気機器で記憶した使用条件であっても受信可能とすることができる電気機器が得られる。
【００１４】
また、他の電気機器に取り付けられた情報記憶装置との使用条件の送受信は情報を電源に重畳させて行なう構成としたものである。
【００１５】
この手段により、複数の電気機器がある場合に各電気機器に機器記憶装置を装着する必要がなく、使用者の設定する手間を省くことができる電気機器が得られる。
【００１６】
さらに、使用条件の送信は、運転状態を切り換えて規定時間経過後に行なう構成としたものである。
【００１７】
この手段により、電気機器の設定状態が使用者の最適な状態であることが確定した後に機器記憶装置に記憶することができ、機器記憶装置に記憶、書換えを行なう回数を減らすことができ、機器記憶装置の長寿命化を図ることができる電気機器が得られる。
【００１８】
また、使用条件の受信は、情報記憶装置を電気機器に取り付けた時に行なう構成としたものである。
【００１９】
この手段により、使用条件の受信を高速に行なうことができ、使用者の最適な快適空間をより早く実現することができる電気機器が得られる。
【００２０】
さらに、送信手段による使用条件の送信は、使用者が運転操作を行なってから電気機器が運転を開始する迄の間に行なう構成としたものである。
【００２１】
この手段により、運転開始操作を情報記憶装置に使用条件を送信する信号として扱うことができ、より簡易的な構成とすることができる電気機器が得られる。
【００２２】
また、送信手段による使用条件の送信は、電気機器の運転開始後に行なう構成としたものである。
【００２３】
この手段により、電気機器の運転開始時にマイコンの処理能力を圧迫することなく、最大限活用することができるため、より安価なマイコンで実現することができる電気機器が得られる。
【００２４】
さらに、情報記憶装置の使用条件の送受信状態を検知する状態検知手段と、前記状態検知手段により検知した状態に応じて送信手段の使用条件の送信に遅延時間を持たせる遅延手段を備える構成としたものである。
【００２５】
この手段により、複数の電気機器の使用条件を記憶する場合であっても、重複して情報記憶装置に送信することを回避することができる電気機器が得られる。
【００２６】
また、使用条件の送信時に、情報記憶装置のアクセス状態に応じて、送信要求信号を出力する送信要求手段を備える構成としたものである。
【００２７】
この手段により、情報記憶装置へのアクセスの重複を防止することができる電気機器が得られる。
【００２８】
さらに、送信手段は、電気機器の識別信号を送信情報に付加する構成としたものである。
【００２９】
この手段により、情報記憶装置に対して電気機器の種別、メーカー名などの個別情報を送信することができ、指令先などを明確にすると共に製造元の異なる電気機器が存在した場合であっても使用条件を送受信できる電気機器が得られる。
【００３０】
また、情報記憶装置に記憶した使用条件を削除する削除手段を備える構成としたものである。
【００３１】
この手段により、情報記憶装置のメモリ状態を整理、及び把握することができる電気機器が得られる。
【発明の効果】
【００３２】
本発明によれば、複数の電気機器の使用条件を記憶する情報記憶装置に使用条件を送信する送信手段を備える構成とすることで、電気機器の使用条件を機器記憶装置に保存することができ、使用者の好みに合った設定情報を取り出すことができる電気機器を提供できる。
【００３３】
また、情報記憶装置を着脱可能とする構成とすることで、情報記憶装置に別途電源を準備することなく、使用条件を取り出すことができる電気機器を提供できる。
【００３４】
さらに、電気機器を使用する時に、情報記憶装置から使用条件を受信する受信手段を備える構成とすることで、使用場所を選ばず、別体の電気機器で記憶した使用条件であっても受信可能とすることができる電気機器を提供できる。
【００３５】
また、他の電気機器に取り付けられた情報記憶装置との使用条件の送受信は情報を電源に重畳させて行なう構成とすることで、複数の電気機器がある場合に各電気機器に機器記憶装置を装着する必要がなく、使用者の設定する手間を省くことができる電気機器を提供できる。
【００３６】
さらに、使用条件の送信は、運転状態を切り換えて規定時間経過後に行なう構成とすることで、電気機器の設定状態が使用者の最適な状態であることが確定した後に機器記憶装置に記憶することができ、機器記憶装置に記憶、書換えを行なう回数を減らすことができ、機器記憶装置の長寿命化を図ることができる電気機器を提供できる。
【００３７】
また、使用条件の受信は、情報記憶装置を電気機器に取り付けた時に行なう構成とすることで、使用条件の受信を高速に行なうことができ、使用者の最適な快適空間をより早く実現することができる電気機器を提供できる。
【００３８】
さらに、送信手段による使用条件の送信は、使用者が運転操作を行なってから電気機器が運転を開始する迄の間に行なう構成とすることで、運転開始操作を情報記憶装置に使用条件を送信する信号として扱うことができ、より簡易的な構成とすることができる電気機器を提供できる。
【００３９】
また、送信手段による使用条件の送信は、電気機器の運転開始後に行なう構成とすることで、電気機器の運転開始時にマイコンの処理能力を圧迫することなく、最大限活用することができるため、より安価なマイコンで実現することができる電気機器を提供できる。
【００４０】
さらに、情報記憶装置の使用条件の送受信状態を検知する状態検知手段と、前記状態検知手段により検知した状態に応じて送信手段の使用条件の送信に遅延時間を持たせる遅延手段を備える構成とすることで、複数の電気機器の使用条件を記憶する場合であっても、重複して情報記憶装置に送信することを回避することができる電気機器を提供できる。
【００４１】
また、使用条件の送信時に、情報記憶装置のアクセス状態に応じて、送信要求信号を出力する送信要求手段を備える構成とすることで、情報記憶装置へのアクセスの重複を防止することができる電気機器を提供できる。
【００４２】
さらに、送信手段は、電気機器の識別信号を送信情報に付加する構成とすることで、情報記憶装置に対して電気機器の種別、メーカー名などの個別情報を送信することができ、指令先などを明確にすると共に製造元の異なる電気機器が存在した場合であっても使用条件を送受信できる電気機器を提供できる。
【００４３】
また、情報記憶装置に記憶した使用条件を削除する削除手段を備える構成とすることで、情報記憶装置のメモリ状態を整理、及び把握することができる電気機器を提供できる。
【発明を実施するための最良の形態】
【００４４】
本発明の請求項１記載の発明は、複数の電気機器の使用条件を記憶する情報記憶装置に使用条件を送信する送信手段を備える構成としたものであり、電気機器の使用条件を機器記憶装置に保存することができ、使用者の好みに合った設定情報を取り出すことができるという作用を有する。
【００４５】
また、情報記憶装置を着脱可能な構成としたものであり、情報記憶装置に別途電源を準備することなく、使用条件を取り出すことができるという作用を有する。
【００４６】
さらに、電気機器を使用する時に、情報記憶装置から使用条件を受信する受信手段を備える構成としたものであり、使用場所を選ばず、別体の電気機器で記憶した使用条件であっても受信可能とすることができるという作用を有する。
【００４７】
また、他の電気機器に取り付けられた情報記憶装置との使用条件の送受信は情報を電源に重畳させて行なう構成としたものであり、複数の電気機器がある場合に各電気機器に機器記憶装置を装着する必要がなく、使用者の設定する手間を省くことができるという作用を有する。
【００４８】
さらに、使用条件の送信は、運転状態を切り換えて規定時間経過後に行なう構成としたものであり、電気機器の設定状態が使用者の最適な状態であることが確定した後に機器記憶装置に記憶することができ、機器記憶装置に記憶、書換えを行なう回数を減らすことができ、機器記憶装置の長寿命化を図ることができるという作用を有する。
【００４９】
また、使用条件の受信は、情報記憶装置を電気機器に取り付けた時に行なう構成としたものであり、使用条件の受信を高速に行なうことができ、使用者の最適な快適空間をより早く実現することができるという作用を有する。
【００５０】
さらに、送信手段による使用条件の送信は、使用者が運転操作を行なってから電気機器が運転を開始する迄の間に行なう構成としたものであり、運転開始操作を情報記憶装置に使用条件を送信する信号として扱うことができ、より簡易的な構成とすることができるという作用を有する。
【００５１】
また、送信手段による使用条件の送信は、電気機器の運転開始後に行なう構成としたものであり、電気機器の運転開始時にマイコンの処理能力を圧迫することなく、最大限活用することができるため、より安価なマイコンで実現することができるという作用を有する。
【００５２】
さらに、情報記憶装置の使用条件の送受信状態を検知する状態検知手段と、前記状態検知手段により検知した状態に応じて送信手段の使用条件の送信に遅延時間を持たせる遅延手段を備える構成としたものであり、複数の電気機器の使用条件を記憶する場合であっても、重複して情報記憶装置に送信することを回避することができるという作用を有する。
【００５３】
また、使用条件の送信時に、情報記憶装置のアクセス状態に応じて、送信要求信号を出力する送信要求手段を備える構成としたものであり、情報記憶装置へのアクセスの重複を防止することができるという作用を有する。
【００５４】
さらに、送信手段は、電気機器の識別信号を送信情報に付加する構成としたものであり、情報記憶装置に対して、電気機器の種別、メーカー名などの個別情報を送信することができ、指令先などを明確にすると共に製造元の異なる電気機器が存在した場合であっても使用条件を送受信できるという作用を有する。
【００５５】
また、情報記憶装置に記憶した使用条件を削除する削除手段を備える構成としたものであり、情報記憶装置のメモリ状態を整理、及び把握することができるという作用を有する。
【００５６】
以下、本発明の実施形態について図面を参照しながら説明する。
【００５７】
（実施の形態１）
図１は、本発明の実施の形態１における電気機器の構成図を示す。図に示すように、電気機器としてのエアコン１Ａは、使用条件を記憶する情報記憶装置２に使用条件を送信する送信手段３Ａと、使用条件を情報記憶装置２から受信する受信手段４Ａを備えている。情報記憶装置２は、エアコン１Ａの情報機器装着部１Ａａに設置できるようになっており、設置することで自動的に情報記憶装置２の子機データ送受信部２ａとエアコン１Ａの送信手段３Ａおよび受信手段４Ａに接続されるような構成となっている。エアコン１Ａは、情報記憶装置２を脱着可能とする脱着スイッチ１Ａｂを有しており、電気機器への使用条件を送信が必要な際に装着し、不要あるいは電気機器の使用を終了する際に取り外しを可能としている。
【００５８】
送信手段３Ａおよび受信手段４Ａは、同図（ｂ）に示すように情報記憶装置２を接続した電気機器すなわちエアコン１Ａと直接行なうための直接送信部３Ａａおよび直接受信部４Ａａと、系統電源に重畳して別の電気機器１Ｂ（図示せず）と間接的に行なうための間接送信部３Ａｂ、間接受信部４Ａｂを備えている。
【００５９】
エアコン１Ａは、情報記憶装置２が接続されたことを認識するとマスターとして機能し、別の電気機器１Ｂはスレーブとしてエアコン１Ａからの使用条件設定の待機状態となる。
【００６０】
次に送信手段３Ａ、受信手段４Ａの構成について図２を参照しながら説明する。
【００６１】
図に示すように、送信手段３Ａと受信手段４Ａは一体構成とした一例を示している。直接送信部３Ａａは、直接受信部４Ａａと一体構成になっており、エアコン１Ａの使用条件データを送信あるいは受信するデータ送受信マイコン３Ａｃと送受信回路としてＲＳ−２３２Ｃドライバ集積回路３Ａｄにより構成している。また、間接送信部３Ａｂは、間接受信部４Ａｂと一体構造としており、エアコン１Ａの使用条件データを送信あるいは受信するデータ送受信マイコン３Ａｃと送受信回路として電源重畳部３Ａｅにより構成している。
【００６２】
上記の構成により、エアコン１Ａに情報記憶装置２が接続された場合には、直接送信部３Ａａおよび直接受信部４Ａａにより使用条件データを送受信することになる。また、エアコン１Ａ以外の電気機器１Ｂに接続された場合には、間接送信部３Ａｂおよび間接受信部４Ａｂにより使用条件データを電気機器間で通信することにより送受信することとなる。
【００６３】
以上のように、本実施の形態１によれば、電気機器は情報記憶装置２に使用条件を送信あるいは使用条件を受信することができる。
【００６４】
なお、本実施の形態１において、送受信回路をＲＳ−２３２Ｃドライバ集積回路としたが、フォトカプラ、抵抗などを組み合わせた送受信回路であっても作用効果に差異はない。
【００６５】
また、送信手段３Ａと受信手段４Ａは一体構成としたが、別体により構成しても作用効果に差異はない。
【００６６】
なお、電気機器をエアコンとしたが、これにとらわれるものでなく、テレビ、電子レンジ、換気扇などの家庭用の電気機器、および業務用の空調設備などの電気機器であってもよい。
【００６７】
（実施の形態２）
図３は、本発明の実施の形態２における電気機器の構成図を示す。実施の形態１と同一部分は同一何号を付し、詳細な説明は省略する。
【００６８】
図に示すように、電気機器としてのエアコン１Ａは、使用条件を記憶する情報記憶装置２に使用条件を送信する送信手段３ＡＢと、使用条件を情報記憶装置２から受信する受信手段４Ａを備えている。
【００６９】
次に送信手段３ＡＢの処理方法について、図４を参照しながら説明する。
【００７０】
図４（ａ）に示すように、送信手段３ＡＢはエアコン１Ａの運転状態信号を入力する機器状態入力部３ＡＢａを備えている。エアコン１Ａの運転状態は、例えば機器発停状態（運転停止の状態）、室内の設定温度、実際の室温である。さらに、処理部３ＡＢｂは、図４（ｂ）に示すように、機器状態入力部３ＡＢａに入力した運転状態から現在の運転停止状態、および設定温度と現在の温度との差異から安定判別を行なうと共に運転開始からの時間を測定するタイマーをスタートする。安定（例えば運転状態にあり、かつ設定温度との温度差が１℃以下である場合）と判断した場合、あるいはタイマーが規定時間（例えば３０分）経過した場合は、送信手段３ＡＢの送信許可フラグをオンする。不安定あるいは設定状態に到達していない場合、あるいは規定時間（例えば３０分）経過していない場合は送信許可フラグをオフとする。
【００７１】
以上のように、本実施の形態２によれば、電気機器は情報記憶装置２への使用条件の送信に対して遅延時間を持たせることができ、電気機器の設定状態が使用者の最適な状態であることが確定した後に機器記憶装置に記憶することができ、機器記憶装置に記憶、書換えを行なう回数を減らすことができ、機器記憶装置の長寿命化を図ることができる。
【００７２】
なお、本実施の形態２において、規定時間を３０分としたが、設定した環境に即時制御でき得る電気機器であればより短い時間（例えば１分）であっても作用効果に差異はない。
【００７３】
また、規定時間のカウントと並行して安定判別を行なうとしたが、規定時間のカウントのみであってもよい。
【００７４】
（実施の形態３）
図５は、本発明の実施の形態３における電気機器の構成図を示す。実施の形態１または２と同一部分は同一何号を付し、詳細な説明は省略する。
【００７５】
図に示すように、電気機器としてのエアコン１Ａは、使用条件を記憶する情報記憶装置２に使用条件を送信する送信手段３Ａと、使用条件を情報記憶装置２から受信する受信手段４ＡＢを備えている。
【００７６】
次に受信手段４ＡＢの処理方法について、図６を参照しながら説明する。
【００７７】
図に示すように、受信手段４ＡＢはエアコン１Ａに情報記憶装置２が装着されたことを認識すると、情報記憶装置２に対してデータ送信要求信号を出力する。情報記憶装置２は本データ送信要求信号を受信すると、記憶しているデータに対象機器、すなわちエアコン１Ａの情報が記憶されているか否かを検索し、記憶している場合はＡＣＫ信号を送信した後、データを送信する。記憶していない場合はＮＡＫ信号を送信して待機する。
【００７８】
以上のように、本実施の形態３によれば、電気機器は情報記憶装置２が電気機器に取り付けられた際にデータの受信を行なうことができ、使用者の最適な快適空間をより早く実現することができる。
【００７９】
（実施の形態４）
図７は、本発明の実施の形態４における電気機器の構成図を示す。実施の形態１乃至３のいずれかと同一部分は同一何号を付し、詳細な説明は省略する。
【００８０】
図に示すように、電気機器としてのエアコン１Ａは、使用条件を記憶する情報記憶装置２に使用条件を送信する送信手段３ＡＣと、使用条件を情報記憶装置２から受信する受信手段４Ａを備えている。
【００８１】
次に送信手段３ＡＣの処理方法について、図８を参照しながら説明する。
【００８２】
図に示すように、送信手段３ＡＣは、使用者がエアコン１Ａの運転操作を行ない、使用条件が確定するまで待機する。運転操作を行ない、その運転条件が確定したことを認識すると、情報記憶装置２に対してデータ受信要求信号を出力する。情報記憶装置２は本データ受信要求信号を受信すると、対象機器の使用条件を記憶する領域を有しているか、あるいは対象機器の情報が記憶されているか否かを検索し、記憶領域がある場合あるいは記憶している場合はＡＣＫ信号を送信した後、データの受信待機状態となる。記憶領域がない場合はＮＡＫ信号を送信して待機する。
【００８３】
以上のように、本実施の形態４によれば、電気機器の運転開始操作を情報記憶装置２に使用条件を送信する信号として扱うことができ、より簡易的な構成とより高速におこなうことができる。
【００８４】
（実施の形態５）
図９は、本発明の実施の形態５における電気機器の構成図を示す。実施の形態１乃至４のいずれかと同一部分は同一何号を付し、詳細な説明は省略する。
【００８５】
図に示すように、電気機器としてのエアコン１Ａは、使用条件を記憶する情報記憶装置２に使用条件を運転開始後に送信する送信手段３ＡＤと、使用条件を情報記憶装置２から受信する受信手段４Ａを備えている。
【００８６】
次に送信手段３ＡＤの処理フローチャートについて、図１０を参照しながら説明する。
【００８７】
図に示すように、送信手段３ＡＤは、エアコン１Ａの運転開始シーケンスが完了するまで待機する。送信手段３ＡＤは、エアコン１Ａの運転開始シーケンスが終了した後、運転状態から現在の運転停止状態、および設定温度と現在の温度との差異から安定判別を行なうと共に運転開始からの時間を測定するタイマーをスタートする。安定（例えば運転状態にあり、かつ設定温度との温度差が１℃以下である場合）と判断した場合、あるいはタイマーが規定時間（例えば３０分）経過した場合は、送信手段３ＡＤの送信許可フラグをオンする。不安定あるいは設定状態に到達していない場合、あるいは規定時間（例えば３０分）経過していない場合は送信許可フラグをオフとする。
【００８８】
以上のように、本実施の形態５によれば、電気機器の運転開始シーケンスが終了して安定した後にデータ送信を行なうため、マイコンの処理能力を圧迫することなく、最大限活用することができるため、より安価なマイコンで実現することができることとなる。
【００８９】
（実施の形態６）
図１１は、本発明の実施の形態６における電気機器の構成図を示す。実施の形態１乃至５のいずれかと同一部分は同一何号を付し、詳細な説明は省略する。
【００９０】
図に示すように、電気機器としてのエアコン１Ａは、使用条件を記憶する情報記憶装置２に使用条件を運転開始後に送信する送信手段３Ａと、使用条件を情報記憶装置２から受信する受信手段４Ａと、情報記憶装置２の使用条件の送受信状態を検知する状態検知手段５Ａと、状態検知手段５Ａにより検知した状態に応じて送信手段３Ａの使用条件の送信に遅延時間を持たせる遅延手段６Ａを備えている。
【００９１】
次に状態検知手段５Ａの処理フローチャートについて、図１１、および図１２を参照しながら説明する。
【００９２】
図に示すように、状態検知手段５Ａは、送信手段３Ａおよび受信手段４Ａに備えた、直接送信部３Ａａ、直接受信部４Ａａ、間接送信部３Ａｂおよび間接受信部４Ａｂの起動状態を検知する。検知方法は、各送受信部のデジタル信号値のフロー状態を監視し、データの流れている間はビジー状態、流れていない場合は待機状態と判断する。判断した結果、ビジー状態と判断した場合は、遅延手段６Ａに対してオン信号を出力し、待機状態と判断した場合は、遅延手段６Ａに対してオフ信号を出力する。
【００９３】
次に遅延手段６Ａの処理フローチャートについて、図１３を参照しながら説明する。
【００９４】
図に示すように、遅延手段６Ａは、状態検知手段５Ａから入力された信号がオン状態であれば、遅延タイマーをスタートさせ、送信手段３Ａからのデータ送信は行なわないように停止する。遅延タイマーの設定時間は例えば１０分とし、設定時間経過の間に、状態検知手段５Ａからオフ信号が入力された場合は、遅延タイマーを解除し、データ送信を許可する。設定時間１０分経過後、フロー状態に変化が無ければ、通信異常として異常停止する。
【００９５】
以上のように、本実施の形態６によれば、複数の電気機器の使用条件を記憶する場合であっても、重複して情報記憶装置２に送信することを回避することができる。
【００９６】
（実施の形態７）
図１４は、本発明の実施の形態７における電気機器の構成図を示す。実施の形態１乃至６のいずれかと同一部分は同一何号を付し、詳細な説明は省略する。
【００９７】
図に示すように、電気機器としてのエアコン１Ａは、使用条件を記憶する情報記憶装置２に使用条件を運転開始後に送信する送信手段３Ａと、使用条件を情報記憶装置２から受信する受信手段４Ａと、情報記憶装置２のアクセス状態に応じて送信要求信号を出力する送信要求手段７Ａを備えている。
【００９８】
次に送信要求手段７Ａの処理フローチャートについて、図１５を参照しながら説明する。
【００９９】
図に示すように、送信要求手段７Ａは、情報記憶装置２が接続された電気機器１Ｂの送信手段３Ｂおよび受信手段４Ｂのデジタル信号値のフロー状態を監視する。フロー状態の監視は、送信手段３Ｂあるいは受信手段４Ｂのシリアル通信ラインを常時監視し、データ通信状態から判断する。判断は、例えばデータ通信のない状態が１分継続したか否かを判断することで行なう。すなわち通信のない状態が１分継続すれば待機状態、１分以内に通信が行なわれていればビジー状態と判断する。判断した結果、ビジー状態と判断した場合は送信待機し、待機状態と判断した場合は、送信要求信号を出力する。
【０１００】
以上のように、本実施の形態７によれば、複数の電気機器の使用条件を記憶する場合であっても、情報記憶装置へのアクセスの重複を防止することができることとなる。
【０１０１】
（実施の形態８）
図１６は、本発明の実施の形態８における電気機器の構成図を示す。実施の形態１乃至７のいずれかと同一部分は同一何号を付し、詳細な説明は省略する。
【０１０２】
図に示すように、電気機器としてのエアコン１Ａは、使用条件を記憶する情報記憶装置２に使用条件と識別信号を送信する送信手段３ＡＥと、使用条件を情報記憶装置２から受信する受信手段４ＡＥを備えている。
【０１０３】
また、送信手段３ＡＥから送信するデータ形式は、図１７に示すようにデータ先頭よりヘッダ、識別信号、使用条件、チェックコードの順で構成している。
【０１０４】
さらに、識別信号の一例は図１８に示す通り、メーカー、カテゴリ、機種識別記号の順に配列している。
【０１０５】
また、受信手段４ＡＥは、シリアル通信ラインを流れるデータの識別信号からエアコン１Ａに対する指令であるか否か判断し、エアコン１Ａに対する指令であると判断した場合は、使用条件を解析し、制御に反映することとなる。
【０１０６】
以上のように、本実施の形態８によれば、電気機器の種別、メーカー名などの個別情報を送信することができ、指令先などを明確にすると共に製造元の異なる電気機器が存在した場合であっても使用条件を送受信できることとなる。
【０１０７】
（実施の形態９）
図１９は、本発明の実施の形態９における電気機器の構成図を示す。実施の形態１乃至８のいずれかと同一部分は同一何号を付し、詳細な説明は省略する。
【０１０８】
図に示すように、電気機器としてのエアコン１Ａは、使用条件を記憶する情報記憶装置２に使用条件と識別信号を送信する送信手段３Ａと、使用条件を情報記憶装置２から受信する受信手段４Ａと、情報記憶装置２に記憶した使用条件を削除する削除手段８Ａを備えている。
【０１０９】
次に削除手段８Ａの構成について、図２０を参照しながら説明する。
【０１１０】
図に示すように、削除手段８Ａは情報記憶装置２が装着されたことを検出された場合に記憶されている使用条件の一覧を表示する表示部８Ａａと、削除する使用条件を選択する選択スイッチ８Ａｂと、削除を確定する確定スイッチ８Ａｃを備えている。使用条件の一覧に表示する内容は、メーカー、カテゴリ、機種識別記号である。使用者は本表示内容からどの電気機器の使用条件を削除するかを選択して実行することとなる。
【０１１１】
以上のように、本実施の形態９によれば、情報記憶装置のメモリ状態を整理、及び把握することができることとなる。
【産業上の利用可能性】
【０１１２】
利用者の好みにあった機器運用を適切かつ迅速に実現が可能となるため、来客時の対応あるいは宿泊施設等の設備にも適用できる。
【図面の簡単な説明】
【０１１３】
【図１】本発明の実施の形態１の電気機器の構成図
【図２】同送信手段３Ａと受信手段４Ａの構成図
【図３】本発明の実施の形態２の電気機器の構成図
【図４】同送信手段３ＡＢの処理方法の説明図
【図５】本発明の実施の形態３の電気機器の構成図
【図６】同受信手段４ＡＢの処理方法の説明図
【図７】本発明の実施の形態４の電気機器の構成図
【図８】同送信手段３ＡＣの処理方法の説明図
【図９】本発明の実施の形態５の電気機器の構成図
【図１０】同送信手段３ＡＤの処理フローチャート
【図１１】本発明の実施の形態６の電気機器の構成図
【図１２】同状態検知手段５Ａの処理フローチャート
【図１３】同遅延手段６Ａの処理フローチャート
【図１４】本発明の実施の形態７の電気機器の構成図
【図１５】同送信要求手段７Ａの処理フローチャート
【図１６】本発明の実施の形態８の電気機器の構成図
【図１７】同送信手段３ＡＥから送信するデータ形式の説明図
【図１８】同識別信号の一例を示す図
【図１９】本発明の実施の形態９の電気機器の構成図
【図２０】同削除手段８Ａの構成図
【図２１】従来の宅内情報端末システムの構成図
【符号の説明】
【０１１４】
１Ａ      エアコン
１Ａａ    情報機器装着部
１Ａｂ    脱着スイッチ
１Ｂ      電気機器
２        情報記憶装置
３Ａ      送信手段
３Ａａ    直接送信部
３Ａｂ    間接送信部
３Ａｃ    データ送受信マイコン
３Ａｄ    ＲＳ−２３２Ｃドライバ集積回路
３Ａｅ    電源重畳部
３ＡＢ    送信手段
３ＡＢａ  機器状態入力部
３ＡＣ    送信手段
３ＡＤ    送信手段
３ＡＥ    送信手段
３Ｂ      送信手段
４Ａ      受信手段
４Ａａ    直接受信部
４Ａｂ    間接受信部
４ＡＢ    受信手段
４ＡＥ    受信手段
４Ｂ      受信手段
５Ａ      状態検知手段
６Ａ      遅延手段
７Ａ      送信要求手段
８Ａ      削除手段
８Ａａ    表示部
８Ａｂ    選択スイッチ
８Ａｃ    確定スイッチ
９        入力手段
１０      宅内情報端末装置
１１      機器
１２      設定情報生成手段
１３      管理センタ
１４      設定情報蓄積手段
【図１】
2007214630.tif 000003
【図２】
2007214630.tif 000004
【図３】
2007214630.tif 000005
【図４】
2007214630.tif 000006
【図５】
2007214630.tif 000007
【図６】
2007214630.tif 000008
【図７】
2007214630.tif 000009
【図８】
2007214630.tif 000010
【図９】
2007214630.tif 000011
【図１０】
2007214630.tif 000012
【図１１】
2007214630.tif 000013
【図１２】
2007214630.tif 000014
【図１３】
2007214630.tif 000015
【図１４】
2007214630.tif 000016
【図１５】
2007214630.tif 000017
【図１６】
2007214630.tif 000018
【図１７】
2007214630.tif 000019
【図１８】
2007214630.tif 000020
【図１９】
2007214630.tif 000021
【図２０】
2007214630.tif 000022
【図２１】
2007214630.tif 000023